【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
画像を形成する画像形成装置を制御する制御装置であって、
複数の画素片からなる画素が構成する画像データ、および前記画像データが表す各画素における画素片挿抜の要否を示す画素片挿抜情報を取得する取得手段と、
前記画像データにおける注目画素を表す画素値と前記注目画素における画素片挿抜情報とに応じて、前記画像形成装置が露光するための露光信号を生成する生成手段と、
前記露光信号に基づいて前記画像形成装置を露光制御する制御手段とを有し、
前記生成手段は、前記注目画素を、前記画像形成装置が露光走査する方向に並ぶ複数の画素片で構成すると共に、前記複数の画素片のうちの少なくとも１つを、予め点灯させない調整用画素片とし、
前記方向における注目画素の幅を狭めるときには、前記調整用画素片を削除することを特徴とする制御装置。
【請求項２】
前記生成手段は、前記方向における注目画素の幅を広げるときには、前記設定された複数の画素片に対して、更に消灯画素片を挿入することを特徴とする請求項１に記載の制御装置。
【請求項３】
さらに前記画像形成装置において、主走査方向の目標とする位置からのずれ量を示すずれ量情報を取得するずれ量情報の取得手段と、
前記ずれ量情報の取得手段から取得したずれ量情報に基づいて、前記画像データに画素毎に画素片挿抜の要否を判定し、前記画素片挿抜情報を付加する付加手段とを有し、
前記取得手段は、前記付加手段が前記画素片挿抜情報を付加した画像データを取得することを特徴とする請求項１または２に記載の制御装置。
【請求項４】
前記付加手段による画素片挿抜の要否の判定方法は、前記画像形成装置がもつ色ごとに設定されることを特徴とする請求項３に記載の制御装置。
【請求項５】
前記付加手段による画素片挿抜の要否の判定は、前記画像形成装置における感光体ドラム上の位置に応じて画素片挿抜の要否が出力されるテーブルを用いて行われることを特徴とする請求項３に記載の制御装置。
【請求項６】
前記画素片の長さは、前記露光部が出力可能なパルス幅に対応することを特徴とする請求項１乃至５の何れか一項に記載の制御装置。
【請求項７】
さらに、付加手段における画素片挿抜の要否を判定方法を変更する変更手段を有することを特徴とする請求項３乃至６の何れか一項に記載の制御装置。
【請求項８】
さらに、前記画像形成装置によりレジパッチパターンを出力した結果を検出する検出手段を有し、
前記検出手段により検出した結果に基づいて前記ずれ量情報を生成する生成手段とを有することを特徴とする請求項３乃至７の何れか一項に記載の制御装置。
【請求項９】
画像を形成する画像形成装置のための画像処理装置であって、
少なくとも１つの点灯させない調整用画素片を含む複数の画素片から画素が構成する画像データを入力する入力手段と、
前記画像形成装置における露光部が記録媒体上に走査する方向を主走査方向とし、前記画像データを露光したときの主走査方向の位置を示す主走査位置情報を取得する取得手段と、
前記画像データを構成する注目画素について、前記主走査位置情報に応じて、前記調整用画素片を削除することにより前記注目画素に対応する主走査位置を調整する調整手段とを有することを特徴とする画像処理装置。
【請求項１０】
露光部が感光体ドラムを露光走査することにより画像を形成する電子写真方式により画像を形成する画像形成装置であって、
画像データに基づいて、前記露光部を駆動するための信号を生成する生成手段と、
前記信号に基づいて前記露光部を駆動する駆動手段と、
前記信号は、前記感光体ドラム上の位置に応じて前記画像データを構成する１画素に対応するクロック信号数が異なり、かつ、１画素に対応するＯＮとなるクロック信号の最大数は前記感光体ドラム上の位置によらず一定であることを特徴とする画像形成装置。
【請求項１１】
画像を形成する画像形成装置を制御する制御方法であって、
複数の画素片からなる画素が構成する画像データ、および前記画像データが表す各画素における画素片挿抜の要否を示す画素片挿抜情報を取得し、
前記画像データにおける注目画素を表す画素値と前記注目画素における画素片挿抜情報とに応じて、前記画像形成装置が露光するための露光信号を生成し、
前記露光信号に基づいて前記画像形成装置を露光制御し、
前記露光信号の生成は、前記注目画素を、前記画像形成装置が露光走査する方向に並ぶ複数の画素片で構成すると共に、前記複数の画素片のうちの少なくとも１つを、予め点灯させない調整用画素片とし、
前記方向における注目画素の幅を狭めるときには、前記調整用画素片を削除することを特徴とする制御方法。
【請求項１２】
画像を形成する画像形成装置のための画像処理方法であって、
少なくとも１つの点灯させない調整用画素片を含む複数の画素片から画素が構成する画像データを入力し、
前記画像形成装置における露光部が記録媒体上に走査する方向を主走査方向とし、前記画像データを露光したときの主走査方向の位置を示す主走査位置情報を取得し、
前記画像データを構成する注目画素について、前記主走査位置情報に応じて、前記調整用画素片を削除することにより前記注目画素に対応する主走査位置を調整することを特徴とする画像処理方法。
【請求項１３】
露光部が感光体ドラムを露光走査することにより画像を形成する電子写真方式により画像を形成する画像形成装置の制御方法であって、
画像データに基づいて、前記露光部を駆動するための信号を生成する生成し、
前記信号に基づいて前記露光部を駆動する駆動し、
前記信号は、前記感光体ドラム上の位置に応じて前記画像データを構成する１画素に対応するクロック信号数が異なり、かつ、１画素に対応するＯＮとなるクロック信号の最大数は前記感光体ドラム上の位置によらず一定であることを特徴とする制御方法。
【請求項１４】
コンピュータに読み込ませ実行させることで、前記コンピュータを請求項１乃至８の何れか一項に記載された制御装置として機能させることを特徴とするコンピュータプログラム。
【請求項１５】
コンピュータに読み込ませ実行させることで、前記コンピュータを請求項９に記載された画像処理装置として機能させることを特徴とするコンピュータプログラム。
【請求項１６】
コンピュータに読み込ませ実行させることで、前記コンピュータを請求項１０に記載された画像形成装置として機能させることを特徴とするコンピュータプログラム。
【手続補正２】
【補正対象書類名】明細書
【補正対象項目名】０００６
【補正方法】変更
【補正の内容】
【０００６】
上記課題を解決するため本発明は、画像を形成する画像形成装置を制御する制御装置であって、複数の画素片からなる画素が構成する画像データ、および前記画像データが表す各画素における画素片挿抜の要否を示す画素片挿抜情報を取得する取得手段と、前記画像データにおける注目画素を表す画素値と前記注目画素における画素片挿抜情報とに応じて、前記画像形成装置が露光するための露光信号を生成する生成手段と、前記露光信号に基づいて前記画像形成装置を露光制御する制御手段とを有し、記生成手段は、前記注目画素を、前記画像形成装置が露光走査する方向に並ぶ複数の画素片で構成すると共に、前記複数の画素片のうちの少なくとも１つを、予め点灯させない調整用画素片とし、前記方向における注目画素の幅を狭めるときには、前記調整用画素片を削除することを特徴とする。